(57)【要約】第１の端部と、第１の端部と対向する第２の端部とを有する導電性接触子を提供する。第１の端部は、第１から第４の直線状リッジと第１から第５の頂点を有し、第１から第４の直線状リッジは互いに隔たれ、かつ十字を形成するように配置される。第１から第４の頂点は第1の端部の外周にあり、それぞれ第１の直線状リッジと第２の直線状リッジの間、第２の直線状リッジと第３の直線状リッジの間、第３の直線状リッジと第４の直線状リッジの間、第４の直線状リッジと第１の直線状リッジの間に設けられる。
2017141706.tif 000002
【特許請求の範囲】
【請求項１】
第１の端部と、
前記第１の端部と対向する第２の端部とを有し、
前記第１の端部は、第１から第４の直線状リッジと第１から第５の頂点を有し、
前記第１から第４の直線状リッジは互いに隔たれ、かつ十字を形成するように配置され、
前記第１から第４の頂点は前記第1の端部の外周にあり、それぞれ前記第１の直線状リッジと前記第２の直線状リッジの間、前記第２の直線状リッジと前記第３の直線状リッジの間、前記第３の直線状リッジと前記第４の直線状リッジの間、前記第４の直線状リッジと前記第１の直線状リッジの間に設けられる、導電性接触子。
【請求項２】
前記第１から第４の直線状リッジは、前記導電性接触子の半径の方向に対して平行である、請求項１に記載の導電性接触子。
【請求項３】
前記第１から第４の直線状リッジは、前記第５の頂点と同一平面上に存在する、請求項１に記載の導電性接触子。
【請求項４】
前記第５の頂点は前記十字の交点に位置する、請求項１に記載の導電性接触子。
【請求項５】
前記第５の頂点は、前記第１から第４の頂点が形成する面と異なる平面上に存在する、請求項１に記載の導電性接触子。
【請求項６】
前記導電性接触子の軸に平行な方向において、前記第１から第４の頂点の各々と前記第２の端部までの距離は、前記第１から第４の直線状リッジの各々と前記第２の端部までの距離よりも小さい、請求項１に記載の導電性接触子。
【請求項７】
前記第１から第４の直線状リッジの各々は、前記導電性接触子の半径よりも短い、請求項１に記載の導電性接触子。
【請求項８】
前記第１から第４の直線状リッジの各々は、前記導電性接触子の外周に達する、請求項１に記載の導電性接触子。
【請求項９】
前記第１から第４の直線状リッジは、前記第１から第４の頂点と同一平面上に存在し、
前記平面は前記導電性接触子の半径の方向に平行である、請求項１に記載の導電性接触子。
【請求項１０】
前記第５の頂点は、前記第１から第４の頂点が形成する面上に存在する、請求項１に記載の導電性接触子。
【請求項１１】
請求項１に記載の前記導電性接触子を有する導電性接触子ユニット。
【請求項１２】
請求項１１に記載の前記導電性接触子ユニットを有する半導体検査装置。
【発明の詳細な説明】
【技術分野】
【０００１】
本発明は検査装置に関する。例えば半導体集積回路や表示装置など、半導体を用いた回路を有する電子部品、あるいはこれを含む電子機器の検査に用いるための導電性接触子（針状接触子）、および導電性接触子を備える半導体検査装置に関する。
【背景技術】
【０００２】
半導体集積回路はほぼ全ての電子部品、電子機器（以下、纏めて電子部品と記す）に用いられており、半導体基板上に多数の薄膜（絶縁膜、導電膜、半導体膜など）を形成・加工して作製される。液晶表示装置、ＥＬ（Ｅｌｅｃｔｒｏｌｕｍｉｎｅｓｃｅｎｃｅ）表示装置などに代表される表示装置も電子部品の一種であり、ガラスやプラスチックの基板上に作製されるという相違はあるものの、半導体集積回路と同様、数多くの薄膜形成工程を経て形成される。【０００３】
薄膜形成工程は異物の混入を高度に規制する環境下で行われるものの、数百以上の工程を含むため、基板や回路の損傷や、パターニング不良の発生などを完全に抑制することは困難である。このため、電子部品に対して種々の特性を検査して不良品の混入を防止する必要がある。【０００４】
電子部品の電気特性を検査する場合、一般的に半導体検査装置と呼ばれる検査装置を用いて行われる。この検査では、半導体集積回路上に形成された電極や配線に対して導電性接触子と呼ばれる細い針状電極の先端を接触させ、種々の電気的情報を取得する。電極や配線の大きさは半導体集積回路にも依存するが、小さい場合には百数十μｍ四方の領域である。したがって、精度の良い検査を行うためには、このような狭い面積の電極や配線に対して導電性接触子を確実に電気的に接触させることが重要である。【０００５】
さらに、電極や配線は必ずしも水平に配置されているとは限られず、また、その形状も平面に限られない。例えば半導体集積回路が形成された半導体チップを内蔵するパッケージを測定する場合、パッケージから引き伸ばされたリード端子は湾曲した構造を有している場合がある。また、パッケージ上に形成された球状の半田ボールを検査用電極として使用する場合もある。このため、電極や配線と導電性接触子との電気的接触を確実に行うため、様々な形状の端部を有する導電性接触子が知られている。
【先行技術文献】
【特許文献】
【０００６】
【特許文献１】特開２０００−３２９７８９号公報
【特許文献２】特開２００８−１５７９０４号公報
【特許文献３】ＷＯ２０１３／０１８８０９号公報
【特許文献４】特許第５７８３７１５号公報
【特許文献５】特開２００９−１９８２３８号公報
【発明の概要】
【発明が解決しようとする課題】
【０００７】
本発明の課題の一つは、検査対象である半導体集積回路、あるいはこれを含む電子部品の電極あるいは配線との電気的接触を確実に達成できる導電性接触子を提供することである。本発明の課題の一つは、耐久性、例えば電極あるいは配線と接触する端部の耐久性に優れた導電性接触子を提供することである。本発明の課題の一つは、導電性接触子ユニットに導電性接触子を設置する際、電極あるいは配線の形状を考慮する必要性を低減可能な導電性接触子を提供することである。本発明の課題の一つは、上記導電性接触子を一つ、あるいは二つ以上備える導電性接触子ユニット、またはこれを備える半導体検査装置を提供することである。
【課題を解決するための手段】
【０００８】
本発明の一実施形態は、第１の端部と、第１の端部と対向する第２の端部を有する導電性接触子である。第１の端部は、第１から第４の直線状リッジと第１から第５の頂点を有しており、第１から第４の直線状リッジは互いに隔たれ、かつ十字を形成するように配置される。第１から第４の頂点は第１の端部の外周にあり、それぞれ第１の直線状リッジと第２の直線状リッジの間、第２の直線状リッジと第３の直線状リッジの間、第３の直線状リッジと第４の直線状リッジの間、第４の直線状リッジと第１の直線状リッジの間に設けられる。【０００９】
第１から第４の直線状リッジは導電性接触子の半径の方向に対して平行でもよい。また、第１から第４の直線状リッジは、第５の頂点と同一平面上に存在してもよい。【００１０】
第５の頂点は、十字の交点に位置していてもよい。あるいは第１から第４の頂点が形成する面と同一平面上に存在してもよく、異なる平面上に存在していてもよい。【００１１】
前記導電性接触子の軸に平行な方向において、第５の頂点と第２の端部までの距離は、第１から第４の直線状リッジの各々と第２の端部までの距離よりも小さくてもよい。【００１２】
前記導電性接触子の軸に平行な方向において、第１から第４の頂点の各々と第２の端部までの距離は、第１から第４の直線状リッジの各々と第２の端部までの距離よりも小さくてもよい。【００１３】
第１から第４の直線状リッジの各々は、導電性接触子の半径よりも短くてもよい。【００１４】
第１から第４の頂点は、導電性接触子の外周面に存在していてもよい。【００１５】
第１から第４の直線状リッジの各々は、導電性接触子の外周面に達していてもよい。【００１６】
第１から第４の直線状リッジは、第１から第４の頂点と同一平面上に存在してもよい。また、その平面は半径の方向に平行でもよい。【００１７】
本出願の一実施形態は、導電性接触子を有する導電性接触子ユニットである。【００１８】
本発明の一実施形態は、導電性接触子ユニットを有する半導体検査装置である。
【図面の簡単な説明】
【００１９】
【図１Ａ】本発明の一実施形態の半導体検査装置の斜視図である。
【図１Ｂ】本発明の一実施形態の導電性接触子の断面図である。
【図２】本発明の一実施形態の導電性接触子の斜視図である。
【図３Ａ】本発明の一実施形態の導電性接触子の断面図である。
【図３Ｂ】本発明の一実施形態の導電性接触子の断面図である。
【図４】本発明の一実施形態の導電性接触子の斜視図である。
【図５Ａ】本発明の一実施形態の導電性接触子の断面図である。
【図５Ｂ】本発明の一実施形態の導電性接触子の断面図である。
【図６】本発明の一実施形態の導電性接触子の斜視図である。
【図７Ａ】本発明の一実施形態の導電性接触子の断面図である。
【図７Ｂ】本発明の一実施形態の導電性接触子の断面図である。
【図８】本発明の一実施形態の導電性接触子の斜視図である。
【図９Ａ】本発明の一実施形態の導電性接触子の断面図である。
【図９Ｂ】本発明の一実施形態の導電性接触子の断面図である。
【図１０】実施例のサンプル２の導電性接触子の斜視図である。
【図１１】実施例における導電性接触子の耐久性テストの結果である。
【発明を実施するための形態】
【００２０】
以下、本出願で開示される発明の各実施形態について、図面を参照しつつ説明する。但し、本発明は、その要旨を逸脱しない範囲において様々な形態で実施することができ、以下に例示する実施形態の記載内容に限定して解釈されるものではない。
【００２１】
また、図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して説明したものと同様の機能を備えた要素には、同一の符号を付して、重複する説明を省略することがある。
【００２２】
本明細書ならびに請求の範囲において、複数の直線や点が同一の平面上に存在するという表記は、これら複数の直線や点が近接した二つの平面間に存在することを意味しており、同じ平面内に完全に存在している場合のみならず、略、あるいは実質的に同一平面内に存在する場合も含む。また、複数の直線のベクトルがある平面に対して３°以内の角度で交わる場合も、これらの直線が同一平面上に存在していると定義する。
【００２３】
（第１実施形態）
＜１．半導体検査装置の構成＞
図１Ａは第１実施形態に係る本発明の半導体検査装置の構成を示す模式図である。半導体検査装置１００は、導電性接触子ユニット１２０と、それに備えられた導電性接触子１１０を有する。導電性接触子１１０は１つ以上であればよく、通常複数（例えば数十から数千）の導電性接触子１１０が設置される。導電性接触子１１０は回路基板１４０との間で電気信号の授受を行う。なお図１Ａでは、回路基板１４０はテスタ１５０と接続される。テスタ１５０には計測電源１５２やＬＣＲ測定器１５４、パルス発生器１５６などのユニットが含まれる。
【００２４】
図１Ｂは図１Ａで示した導電性接触子１１０、および導電性接触子ユニット１２０の断面模式図である。図１Ｂに示すように、導電性接触子１１０は導電性接触子ユニット１２０に収納されており、末端部（第１の端部２３０）が露出している。この第１の端部２３０が検査対象１７０の電極や配線と接触し、電気特性が測定される。検査対象１７０は、例えば半導体基板上に形成された集積回路や、集積回路がパッケージングされたＩＣパッケージなどが挙げられる。なお、第１の端部２３０に対向する第２の端部が２４０である。
【００２５】
導電性接触子ユニット１２０は、樹脂やセラミックなどの絶縁物を用いて形成される。複数の導電性接触子１１０は、高さが揃うように配置されている。また、検査対象の電極や配線パターンに応じてその配置を決定してもよい。導電性接触子１１０は導電性材料を含み、例えば金、銅、ニッケル、パラジウム、タングステンなどの金属、あるいは上記金属の合金を含む。あるいは導電性材料を含み、かつ表面を金などを用いてめっき加工してもよい。
【００２６】
導電性接触子１１０は、第１のプランジャ２００と第２のプランジャ２１０を有している。第１のプランジャ２００は、その端部、すなわち第１の端部２３０において検査対象１７０の電極や配線と電気的な接触を行う。第１と第２のプランジャ２００、２１０は円柱形状を有することが好ましく、本実施形態でも円柱状の形状として説明を行う。
【００２７】
導電性接触子ユニット１２０にはさらにコイルばね２２０が備えられており、導電性接触子１１０の第１の端部２３０が検査対象１７０の電極や配線と接触する際、コイルばね２２０が軸方向に伸縮することによって検査対象への衝撃をやわらげることができる。
【００２８】
＜２．導電性接触子先端部の構成＞
図２に導電性接触子１１０の第１の端部２３０の斜視図を示す。図２に示すように第１の端部２３０には、図中、太線で示される４つの直線状リッジ（第１から第４の直線状リッジ）Ｒ１からＲ４、および５つの頂点（第１から第５の頂点）Ｔ１からＴ５を有している。
【００２９】
図３Ａと図３Ｂはそれぞれ、図２で示した点線Ａ１−Ａ２とＢ１−Ｂ２における断面模式図である。図２および図３Ａに示すように、第１から第４の直線状リッジＲ１からＲ４は、互いに同一平面上に存在しており、かつ互いに隔たれている。また、その方向は導電性接触子１１０の半径方向（図中、ｘ軸方向）に平行である。すなわち、第１から第４の直線状リッジＲ１からＲ４は、図中ｙ軸で示した方向に平行な導電性接触子の中心軸に向かって放射状に延びている。本実施形態では、第１から第４の直線状リッジＲ１からＲ４は十字を形成するように設けられている。すなわち、第１の直線状リッジＲ１と第３の直線状リッジＲ３は同一直線（第１の直線）上に存在し、第２の直線状リッジＲ２と第４の直線状リッジＲ４は同一直線（第２の直線）上に存在し、かつ、第１の直線と第２の直線は直交している。なお、第１の直線と第２の直線とのなす角は直角に限られず、任意の角度に設定することができる。
【００３０】
図２および図３Ｂに示すように、第１から第４の頂点Ｔ１からＴ４は同一平面上に存在する。また、その平面は導電性接触子の半径方向に平行である。本実施形態では、第５の頂点Ｔ５も前記平面上に存在する。すなわち、第１の頂点Ｔ１から第５の頂点Ｔ５全てが同一平面上に存在する。また、第５の頂点Ｔ５は、第１の直線状リッジＲ１と第３の直線状リッジＲ３を通る直線（第１の直線）と、第２の直線状リッジＲ２と第４の直線状リッジＲ４を通る直線（第２の直線）との交点に存在する。
【００３１】
なお、本実施形態では図１Ｂや図３Ａ、図３Ｂで示すように、第１の端部２３０は先端方向に向かうに従って直径が小さくなり、その先に直線状リッジＲ１からＲ４と頂点Ｔ１からＴ５が設けられている。すなわち、直線状リッジＲ１からＲ４の端部および頂点Ｔ１からＴ４は、いずれも第１の端部２３０の最大直径部分の断面よりも内側に形成されている。
【００３２】
本実施形態では第１の頂点Ｔ１から第５の頂点Ｔ５の全てが同一平面上に存在する例を記載するが、本発明の実施形態はこれに限られることはなく、例えば第５の頂点Ｔ５が、他の頂点Ｔ１からＴ４で形成される平面外に存在していてもよい。また本実施形態では、第１から第５の頂点Ｔ１からＴ５の全てが、第１から第４の直線状リッジＲ１からＲ４が形成する面と同じ面に存在しているが、本発明の実施形態はこれに限られることはなく、例えば第５の頂点のみが第１から第４の直線状リッジＲ１からＲ４が形成する面と同じ面に存在し、他の頂点が前記面外に存在してもよい。さらに本実施形態では、第１の端部２３０は先端方向に向かうに従って直径が小さくなり、その先に直線状リッジＲ１からＲ４と頂点Ｔ１からＴ５が形成されるが、本発明の実施形態はこれに限られることはなく、第１の端部２３０は先端まで円柱状の形状を維持し、その先に、直線状リッジＲ１からＲ４と頂点Ｔ１からＴ５を設けてもよい。上述した実施形態は後述する。
【００３３】
このような形状を有する第１の端部２３０は、例えば円柱状の第１のプランジャ２００を旋盤加工時に回転式切削工具などを用いて形成することができる。この場合、第１から第４の直線状リッジＲ１からＲ４は互いに隔たることになり、その長さは導電性接触子１１０の半径よりも短い。より具体的には、第１から第４の直線状リッジＲ１からＲ４各々の長さは、第１の端部２３０を包含する第１のプランジャ２００の最大半径よりも小さい。また、好ましくは１０μｍ以上であり、かつ第１の端部２３０の先端部の直径の１５％以下である。さらに、第１から第４の直線状リッジＲ１からＲ４の各々は、導電性接触子１１０の外周に達する。つまり、第１から第４の直線状リッジＲ１からＲ４の各々は、第１の端部２３０を包含する第１のプランジャ２００の側面から中心軸方向に向かって伸びている。
【００３４】
一方、第１から第４の頂点Ｔ１からＴ４は、導電性接触子１１０の側面に存在する。換言すると、第１から第４の頂点Ｔ１からＴ４は、第１の端部２３０を包含する第１のプランジャ２００の外周に位置する。
【００３５】
このような端部形状を有する導電性接触子１１０は、複数の線を接触部位として検査対象の電極や配線と接触することができる。例えば平面状の電極や配線に対して垂直な方向から接触を行う場合、第１から第４の直線状リッジＲ１からＲ４の全てが電気的接触に寄与することができる。第５の頂点Ｔ５が第１から第４の直線状リッジＲ１からＲ４が含まれる平面と同一平面上に存在する場合には、第１から第４の直線状リッジＲ１からＲ４に加え、第５の頂点Ｔ５も電気的接触に寄与する。これに対し、例えば特許文献１や４、５には複数の円錐状あるいは角錐状の接触部を有する導電性接触子が開示されているが、この場合、電極や配線との接触は複数の点のみで行われる。したがって、本実施形態の端部形状を採用することで、より確実な電気的接触が可能になるだけでなく、導電性接触子１１０の端部の摩耗や欠損を防止、あるいは軽減することが可能である。
【００３６】
また、検査対象の電極や配線に対して斜め方向から接触を行う場合でも、少なくとも２つの直線状リッジが電気的接触に寄与することができる。一方、特許文献２では単一の直線状リッジを端部に有する導電性接触子が開示されているが、この場合、電極や配線に対して斜め方向から接触を試みると、一つの点のみでの接触となる。したがって、本実施形態の末端形状を用いることで、検査対象とのより確実な電気的接触が可能となる。
【００３７】
さらに、単一の直線状リッジを端部に有する場合、導電性接触子は二回回転軸（Ｃ２軸：１８０度の回転によって同一の状態を与える回転軸）しか持たないため、中心軸に沿った回転次第では、直線状リッジが電極や配線と接触する向きが大きく変化する。したがって、中心軸に沿った回転を禁止するように導電性接触子ユニットに設置する必要があり、導電性接触子を収納するために導電性ユニットに設けられる開口部の形状を、例えば楕円や多角形にする必要がある。これに対し本実施形態の導電性接触子は四回回転軸（Ｃ４軸：９０度の回転によって同一の状態を与える回転軸）を有するため、導電性接触子の中心軸に沿った回転の影響が小さく、導電性接触子ユニットへ設置する際、中心軸に沿った回転を考慮する必要性が無い。したがって、開口部の形状を円形にすることができ、導電性接触子ユニットの加工性を向上させることができる。
【００３８】
（第２実施形態）
本実施形態では、第１実施形態とは異なる末端形状を有する導電性接触子について、図４、図５Ａ、図５Ｂを用いて説明する。図４は導電性接触子１１０の第１の端部２３０の斜視図、図５Ａと図５Ｂはそれぞれ、図４で示した点線Ａ１−Ａ２とＢ１−Ｂ２における断面模式図である。
【００３９】
第１実施形態と同様に、導電性接触子１１０の第１の端部２３０には、４つの直線状リッジ（第１から第４の直線状リッジ）Ｒ１からＲ４、および５つの頂点（第１から第５の頂点）Ｔ１からＴ５を有している。第１実施形態と異なる点は、第５の頂点Ｔ５が第１から第４の直線状リッジＲ１からＲ４と同一平面上に存在するものの、第１から第４の頂点Ｔ１からＴ４は上記平面とは異なる平面上に存在する点である。より具体的には、第５の頂点Ｔ５は、第１の直線状リッジＲ１と第３の直線状リッジＲ３を通る直線（第１の直線）と第２の直線状リッジＲ２と第４の直線状リッジＲ４を通る直線の交点に存在しているが、第１から第４の頂点Ｔ１からＴ４は、より第２の端部２４０に近い位置に存在している。つまり、第１から第４の頂点Ｔ１からＴ４は、図中のｙ軸に沿って、より低い位置に存在している。上述した構成以外は実施形態１と同じであり、詳細な記述は省略する。
【００４０】
実施形態１と同様に、このような端部形状を有する導電性接触子１１０も、第１から第４の直線状リッジによる複数の線、および第５の頂点Ｔ５によって、４つの直線と１つの点を接触部位として検査対象の電極や配線と接触することができる。したがって、より確実な電気的接触が可能になるだけでなく、導電性接触子１１０の端部の摩耗や欠損を防止、あるいは軽減することが可能である。また、本実施形態の末端形状もＣ４軸を有するため、導電性接触子ユニットへ設置する際、中心軸に沿った回転を考慮する必要性を軽減することが可能であり、導電性接触子ユニットの加工性を向上させることができる。
【００４１】
また、球状の半田ボールを検査用電極として使用する場合、その大きさにも依存するが、種々の接触様式で電気的接触が可能になる。例えば、第１の直線状リッジＲ１中の一点、第１の頂点Ｔ１、および第５の頂点Ｔ５を用いて電気的接触が可能である。したがって、検査対象の電極や配線とより確実な電気的接触が可能となる。
【００４２】
（第３実施形態）
本実施形態では、第１および第２実施形態とは異なる末端形状を有する導電性接触子について、図６、図７Ａ、図７Ｂを用いて説明する。図６は導電性接触子１１０の第１の端部２３０の斜視図、図７Ａと図７Ｂはそれぞれ、図６で示した点線Ａ１−Ａ２とＢ１−Ｂ２における断面模式図である。
【００４３】
第１、および第２実施形態と同様に、導電性接触子１１０の第１の端部２３０には、４つの直線状リッジ（第１から第４の直線状リッジ）Ｒ１からＲ４、および５つの頂点（第１から第５の頂点）Ｔ１からＴ５を有している。第１、および第２実施形態と異なる点は、第１から第５の頂点Ｔ１からＴ５は互いに同一平面上に存在するものの、第１から第４の直線状リッジＲ１からＲ４が含まれる平面とは異なる平面上に位置しており、かつ、より第２の端部２４０に近いという点である。すなわち、ｙ軸方向に関し、第１から第５の頂点は第１から第４の直線状リッジＲ１からＲ４よりもより低い位置に存在している。上述した構成以外は実施形態１と同じであり、詳細な記述は省略する。
【００４４】
実施形態１および２と同様に、このような端部形状を有する導電性接触子１１０も、第１から第４の直線状リッジによる複数の線によって、４つの直線を接触部位として検査対象の電極や配線と接触することができる。したがって、より確実な電気的接触が可能になるだけでなく、導電性接触子１１０の端部の摩耗や欠損を防止、あるいは軽減することが可能である。また、本実施形態の末端形状もＣ４軸を有するため、導電性接触子ユニットへ設置する際、中心軸に沿った回転を考慮する必要性を軽減することが可能であり、導電性接触子ユニットの加工性を向上させることができる。
【００４５】
また、球状の半田ボールを検査用電極として使用する場合、その大きさにも依存するが、第１から第４の直線状リッジＲ１からＲ４各々の一点、合計４つの点での電気的接触も可能であり検査対象の電極や配線とより確実な電気的接触が可能となる。
【００４６】
（第４実施形態）
本実施形態では、第１乃至第３実施形態とは異なる末端形状を有する導電性接触子について、図８、図９Ａ、図９Ｂを用いて説明する。図８は導電性接触子１１０の第１の端部２３０の斜視図、図９Ａと図９Ｂはそれぞれ、図４で示した点線Ａ１−Ａ２とＢ１−Ｂ２における断面模式図である。なお、第１乃至第３実施形態と同じ構成に関しての記述は省略する。
【００４７】
第１乃至第３実施形態と同様に、導電性接触子１１０の第１の端部２３０には、４つの直線状リッジ（第１から第４の直線状リッジ）Ｒ１からＲ４、および５つの頂点（第１から第５の頂点）Ｔ１からＴ５を有している。第１から第４の直線状リッジＲ１からＲ４、および第１から第５の頂点Ｔ１からＴ５は同一平面上に存在する。
【００４８】
本実施形態に係る導電性接触子１１０と第１実施形態に係るそれとの相違は、後者では第１の端部２３０は先端方向に向かうに従って直径が小さくなり、その先に直線状リッジＲ１からＲ４と頂点Ｔ１からＴ５が設けられている。これに対して本実施形態の導電性接触子１１０では、第１の端部２３０の直径は一定であり、その先端部に直線状リッジＲ１からＲ４と頂点Ｔ１からＴ５が設けられている。
【００４９】
実施形態１と同様に、このような端部形状を有する導電性接触子１１０も、第１から第４の直線状リッジによる複数の線、および第１から第５の頂点Ｔ１からＴ５によって、４つの直線と５つの点を接触部位として検査対象の電極や配線と接触することができる。したがって、より確実な電気的接触が可能になるだけでなく、導電性接触子１１０の端部の摩耗や欠損を防止、あるいは軽減することが可能である。また、本実施形態の末端形状もＣ４軸を有するため、導電性接触子ユニットへ設置する際、中心軸に沿った回転を考慮する必要性を軽減することが可能であり、導電性接触子ユニットの加工性を向上させることができる。
【００５０】
また、球状の半田ボールを検査用電極として使用する場合、その大きさにも依存するが、種々の接触様式で電気的接触が可能になる。例えば、第１の直線状リッジＲ１中の一点、第１の頂点Ｔ１、および第５の頂点Ｔ５を用いて電気的接触が可能である。したがって、検査対象の電極や配線とより確実な電気的接触が可能となる。
【実施例】
【００５１】
本実施例では、本実施形態２で示した導電性接触子１１０の耐久性試験、およびその結果を記す。耐久性試験は、図４に示した導電性接触子１１０を導電性接触子ユニット１２０に設置し、上部から半田めっきされた金属板を導電性接触子１１０押し当てることによって行った。この操作を繰り返し、導電性接触子１１０の第１の端部２３０の形状を走査型電子顕微鏡（ＳＥＭ）で観察し、先端部の摩耗量を測定した（サンプル１）。比較として、図１０に示すような、先端部に４つの頂点を有するものの直線状のリッジを持たない導電性接触子（サンプル２）に対しても同様の試験を行った。【００５２】
図１１に耐久性テストの結果を示すように、サンプル１の方が先端部の摩耗量が小さいことが分かった。例えば金属板の押し当て回数が１０６回数の時、図１０で示す先端構造を有するサンプル２では摩耗量が２５μｍを超えるのに対し、本発明に係る導電性接触子１１０のサンプル１の摩耗量は１５μｍ程度であった。このように、本発明に係る導電性接触子は物理的な衝撃に対して高い耐久性を有しており、端部の摩耗や欠損を防止できることが確認された。【００５３】
本発明の実施形態として上述した各実施形態は、相互に矛盾しない限りにおいて、適宜組み合わせて実施することができる。また、各実施形態を基にして、当業者が適宜構成要素の追加、削除もしくは設計変更を行ったものも、本発明の要旨を備えている限り、本発明の範囲に含まれる。【００５４】
また、上述した各実施形態によりもたらされる作用効果とは異なる他の作用効果であっても、本明細書の記載から明らかなもの、又は、当業者において容易に予測し得るものについては、当然に本発明によりもたらされるものと理解される。
【符号の説明】
【００５５】
１００：半導体検査装置、１１０：導電性接触子、１２０：導電性接触子ユニット、１４０：回路基板、１５０：テスタ、１５２：計測電源、１５４：ＬＣＲ測定器、１５６：パルス発生器、１７０：検査対象、２００：第１のプランジャ、２１０：第２のプランジャ、２２０：コイルばね、２３０：第１の端部、２４０：第２の端部
【図１Ａ】
2017141706.tif 000003
【図１Ｂ】
2017141706.tif 000004
【図２】
2017141706.tif 000005
【図３Ａ】
2017141706.tif 000006
【図３Ｂ】
2017141706.tif 000007
【図４】
2017141706.tif 000008
【図５Ａ】
2017141706.tif 000009
【図５Ｂ】
2017141706.tif 000010
【図６】
2017141706.tif 000011
【図７Ａ】
2017141706.tif 000012
【図７Ｂ】
2017141706.tif 000013
【図８】
2017141706.tif 000014
【図９Ａ】
2017141706.tif 000015
【図９Ｂ】
2017141706.tif 000016
【図１０】
2017141706.tif 000017
【図１１】
2017141706.tif 000018
【国際調査報告】
2017141706.tif 000019
2017141706.tif 000020
2017141706.tif 000021
2017141706.tif 000022